(57)【要約】【課題】  工具剛性及び切削効率が高く、寿命が長く、且ついかなる角度で用いられても高い精度での切削加工が可能となる切削工具の提供。【解決手段】  ボディー１の表面に複数の切刃２を備え、それらの刃先が当該ボディー１の軸線を中心に回転し球状又はドーム状の回転軌跡を実現する切削工具であって、前記ボディー１の前面に、刃先を前記回転軌跡の仮想経線から回転方向へ所定量ずらして配置した進み刃２ｐ、及び刃先を前記回転軌跡の仮想経線から反回転方向へ所定量ずらして配置した遅れ刃２ｎを、前記軸線を中心として規則的に配置して備えることを特徴とする切削工具。【選択図】      図１
2018130783.tif 000002
【特許請求の範囲】
【請求項１】
ボディーの表面に複数の切刃を備え、それらの刃先が当該ボディーの軸線を中心に回転し球状又はドーム状の回転軌跡を実現する切削工具であって、
前記ボディーの前面に、刃先を前記回転軌跡の仮想経線から回転方向へ所定量ずらして配置した進み刃、及び刃先を前記回転軌跡の仮想経線から反回転方向へ所定量ずらして配置した遅れ刃を、前記軸線を中心として規則的に配置して備えることを特徴とする切削工具。
【請求項２】
前記ボディーの前面に、刃先を前記回転軌跡の仮想経線上に配置した基準刃を、前記軸線を中心として規則的に配置して備えることを特徴とする前記請求項１に記載の切削工具。
【請求項３】
単数又は複数の前記進み刃を所定の回転角度間隔で配置した逃し部と、単数又は複数の前記遅れ刃を所定の回転角度間隔で配置した捕捉部を、交互に配置してなることを特徴とする前記請求項１又は請求項２のいずれかに記載の切削工具。
【請求項４】
前記進み刃及び前記遅れ刃は、前記回転軌跡の仮想経線と平行な刃先を備えることを特徴とする前記請求項１乃至請求項３いずれかに記載の切削工具。
【発明の詳細な説明】
【技術分野】
【０００１】
本発明は、超硬合金の直彫り加工を高効率に行える切削工具に関するものである。
【背景技術】
【０００２】
超硬合金の直彫りを行う切削工具（例えば下記特許文献１参照）は、工作機械のチャックに保持されて回転しワークを削る機能を果たす。
この様なワークやその切削工具の母材となる超硬合金は、例えば、タングステンと炭化タングステンに、コバルトやニッケルなどの結合材とチタンやタンタルなどを適宜混合してプレス成形し、それを１４５０℃から１５００℃で焼結処理を行うことにより製造される。
【０００３】
切削理論は、一般的に、ワークよりも切削工具が十分に硬いという前提で成り立っており、超硬合金製のワークを同じ超硬合金製切削工具で加工する場合は、切削条件によって、切削工具自体がワークによって削り取られるという好ましくない現象が生じる。
そこで、多くの切削工具は、超硬合金を母材とし、切削刃のすくい面から逃げ面にかけて耐摩耗性及び潤滑性の向上を目的としたコーティングを施す措置が採られている（例えば下記特許文献２参照）。
【０００４】
上記の如く刃先等にコーティング層を備える切削工具は、切削時において、スラスト分力が強ければすくい面のコーティング層が剥がれ、すくい分力が強ければ逃げ面のコーティング層が剥がれる傾向が見られる。
コーティング層が形成された刃先には、コーティング層の厚みに応じた曲率（１／半径）の角が形成されるが、一般的に、当該角の曲率が小さくなるとスラスト分力が相対的に増加し、当該角の極率が大きいとすくい分力が相対的に増加する。
従来の切削工具は、切込量を高めるためにすくい面を大きくする措置が採られ、それが、工具剛性を低下させ、割れや欠けがの発生を助長する原因ともなっている。
【０００５】
殊に、焼結材のような脆性材は脆性破壊によりワークにマイクロクラックが発生する他、その時の衝撃で刃先にチッピングを発生するという問題があり、それを回避すべく切り込み厚さを小さくしてクラックの発生を抑制すれば、刃先が高温高圧に曝され易くなり、刃先の摩耗を促進し切削効率も低下するという問題がある。
【先行技術文献】
【特許文献】
【０００６】
【特許文献１】特開平１０−１１３８０８号公報
【特許文献２】特開２０１５−０８５４６２号公報
【発明の概要】
【発明が解決しようとする課題】
【０００７】
このように、切削工具の切削効率と、耐摩耗性の向上を両立することは極めて困難な問題であるものの、それらを共に満足する有効な技術が明らかにされていない実態があり、一方で、例えば、５軸マシニングセンタ等に装着された際において、ワークに対し如何なる角度で切削工具が接触する場合であっても十分な加工精度と切削効率を確保したいという要請もある。
【０００８】
本発明は、上記実情に鑑みてなされたものであって、工具剛性及び切削効率が高く、且ついかなる角度で用いられても高い精度での切削加工が可能となる長寿命な切削工具の提供を目的とする。
【課題を解決するための手段】
【０００９】
上記課題を解決するためになされた本発明による切削工具は、ボディーの表面に複数の切刃を備え、それらの刃先が当該ボディーの軸線を中心に回転し球状又はドーム状の回転軌跡を実現する切削工具であって、前記ボディーの前面に、刃先を前記回転軌跡の仮想経線から回転方向へ所定量ずらして配置した進み刃、及び刃先を前記回転軌跡の仮想経線から反回転方向へ所定量ずらして配置した遅れ刃を、前記軸線を中心として規則的に配置して備えることを特徴とする。
更に、前記ボディーの前面に、刃先を前記回転軌跡の仮想経線上に配置した基準刃を、前記軸線を中心として規則的に配置して備える切削工具として構成することもできる。
【００１０】
単数又は複数の前記進み刃を前記軸線を中心として所定角度間隔で配置した逃し部と、単数又は複数の前記遅れ刃を所定角度間隔で配置した捕捉部を、交互に配置してなる構成を採ることもできる。
尚、前記逃し部と前記捕捉部の前記所定の回転角度は、同じでも良いし、異なっていても良い。
【００１１】
前記進み刃及び前記遅れ刃は、各切刃の配置位相における刃先の位置ズレの基準である前記仮想経線に対して平行な刃先であってもよく、又は傾斜した刃先であってもよい。
また、傾斜している場合には、当該刃先の軌跡は、各刃先男配置位相における前記仮想経線と交差しない直線、屈曲線又は曲線のいずれでもよい。
【発明の効果】
【００１２】
本発明による切削工具によれば、前記ボディーの前面に、刃先を前記回転軌跡の仮想経線から回転方向へ所定量ずらして配置した進み刃、及び刃先を前記回転軌跡の仮想経線から反回転方向へ所定量ずらして配置した遅れ刃を、前記軸線を中心として規則的に配置して備えることによって、軸線を中心とした回転の位相に遅れて切削を開始する遅れ刃による捕捉切りと、同回転の位相より進んで切削を開始する進み刃による逃し切りを規則的に行うことができる。
【００１３】
前記捕捉切りと逃し切りによれば、ボディー前面に備える切刃によって、ワークに対する向心方向及び遠心方向への引き切りが規則的に行われ、切削時の衝撃の一部を刃先の長手方向へ逃すことで、刃先の広い領域を用いることができる。
その結果、ワークと刃先との接点が一点に集中することが回避される他、ワークからの衝撃の一部を他方向へ逃すことで切削工具の刃先及びコーティング層の耐用期間を延ばすことができる。
また、更に前記ボディーの前面に、刃先を前記回転軌跡の仮想経線上に配置した基準刃を、前記軸線を中心として規則的に配置して備える切削工具とすれば、進み刃又は遅れ刃を用いた引き切りと、基準刃を用いた押し切り双方の利点を生かすことができる。
【００１４】
単数又は複数の前記進み刃を前記軸線を中心として所定角度間隔で配置した逃し部と、単数又は複数の前記遅れ刃を所定角度間隔で配置した捕捉部を、交互に配置してなる構成を採ることによって、前記逃し部と前記捕捉部の前記所定角度を調整することによって、切刃それぞれがワークに接するタイミングや、削り屑を収容して排出する溝（ポケット）の容量を調整することができ、それによって耐摩耗性、加工効率及び加工精度の向上を図ることができる。
【００１５】
以上の如く、本発明による切削工具によれば、進み刃と遅れ刃、更には基準刃を規則的に用いて加工されることによって、例えば、５軸マシニングセンタに用いられ、如何なる角度で刃先が接するとしても、遅れ刃と進み刃、更には、基準刃相互の利点を活かし、且つ相互の欠点をカバーすることで効率的で精密な加工ができる。
また、様々な方向から様々な態様で切削が行われることによって、コーティング層の剥がれ又は摩耗並びに刃先の割れ若しくは欠けを回避しつつ、長寿命な切削工具の提供に寄与することができる。
【図面の簡単な説明】
【００１６】
【図１】本発明による切削工具の一例を示す平面図である。
【図２】本発明による切削工具の一例を示す斜視図及び正面図である。
【図３】本発明による切削工具の切削態様を示す軸線方向から見た説明図である。
【図４】本発明による切削工具の先端部分の一例を示す（Ａ）：平面図，（Ｂ）：正面図及び（Ｃ）：側面図である。
【図５】本発明による切削工具の一例を示す平面図及び正面図又は側面図である。
【図６】本発明による切削工具の実施例を示す平面図である。
【図７】本発明による切削工具による切削面の一例を示す平面画像である。
【図８】本発明による切削工具による切削面の一例を示す斜視画像である。
【図９】従来の切削工具による切削面の一例を示す平面画像である。
【図１０】従来の切削工具による切削面の一例を示す斜視画像である。
【発明を実施するための形態】
【００１７】
以下、本発明による切削工具の実施の形態を、図面に基づき詳細に説明する。
図１及び図２に示す例は、軸線を中心に回転してワークの切削加工を行う工具本体Ａと、前記工具本体Ａの軸線方向の後方に連続し切削装置の回転チャックに装着されるシャンク部Ｂを備える超硬合金製の切削工具である。  
【００１８】
この例の工具本体Ａは、当該工具本体Ａの基体となるボディー１と、当該ボディー１の表面に突設された複数の切刃２を備え、その回転軌跡が球面状又はドーム状となるように構成されたものである。
【００１９】
この例の前記切刃２は、前記回転軌跡又は前記ボディー１の表面の仮想経線（前記軸線を当該ボディー１の表面に投影した仮想線）に沿って突出する凸条として形成され、各々の切刃２の刃先は、各切刃２それぞれが配置された位相（以下「配置位相」という）における仮想径線及び軸線に沿って形成される（図５参照）。
この例では、各切刃２の刃先は、前記軸線を中心とする回転軌跡の仮想経線に対して、前方から後方へ反回転方向に一様に傾斜する形態を採用しても良い（図示省略）。
この様な形態により、前記ボディー１における前記切刃２は、前記ボディー１の曲面に沿い当該ボディー１の赤道領域から軸線の前方に向かって円弧状を呈する前刃と、同赤道領域から軸線の後方に向かって延びる後刃を形作り、前記前刃の先端部は、当該切削工具の底刃となる。
【００２０】
この例の切刃２は、それぞれ削り屑を収容して排出するポケット９を隔てて形成され、前記ボディー１の全長にわたって均等な刃高（ポケット９の深さ）を有し、回転方向に面するすくい面３、回転の遠心方向に面する逃げ面４及び反回転方向に面する送り面５をもって、三角形状又は台形状の断面が与えられている。
【００２１】
前記切刃２の刃高（すくい面の高さ）は、削り屑を圧縮することなく収容できるポケット９を形成できる高さとする必要があるが、超硬合金を切削する用途では、一般的に、切刃２の剛性を確保する要請をも考慮し、例えば、前記工具本体Ａの最大直径の１０％以下の高さである０．３ｍｍから０．７ｍｍ程度に止めることが望ましい。
前記逃げ面４は、逃げ角を２０度以下とし、逃がし量は、０．１ｍｍから０．３ｍｍ程度が適当である。
【００２２】
各切刃２の刃先は、回転軌跡が形作る球状又はドーム状の仮想経線に沿って形成される。
具体的には、各切刃２の刃先は、前記切刃２それぞれの配置位相における前記仮想経線上（図示省略、以下「基準刃」という）、又は前記切刃それぞれの配置位相における前記仮想経線から所定長の進み（回転方向へのずれ）又は遅れ（反回転方向へのずれ）を与えた位置に配置した切刃２（以下それぞれ「進み刃２ｐ」又は「遅れ刃２ｎ」という）を規則的に組み合わせる構成を採る（図５又は図６参照）。
【００２３】
本発明による切削工具は、前記工具本体Ａの全面にわたって略均一なコーティング層（例えば０．０１５ｍｍから０．０２５ｍｍ）を備える構成としてもよい。
コーティング層は、例えば、TiN（窒化チタン）、TiAlN（窒化アルミニウムチタン）、CrN（窒化クロム）、DLC（ダイヤモンドライクカーボン）、TiCN（炭窒化チタン）、TiSiN（窒化チタンシリコン）、DIA（ダイヤモンドコーティング）などの薄膜を、真空蒸着などで形成したものが挙げられる（例えば下記特許文献２参照）。
【００２４】
この様なコーティング層を前記工具本体Ａの表面、特に、前記切刃２のすくい面３から逃げ面４にかけて形成すると共に、一刃当たりの送り量を当該コーティングの厚み相当に設定することで、前記切刃２の耐摩耗性及び潤滑性が向上し、前記工具本体Ａのワークとの接触部の硬度、耐久力、切削速度、寿命、切れ味、面精度をより高い水準で維持することができる。
【実施例１】
【００２５】
この例の前記切刃２は、前記ボディー１の表面を、前記軸線の周囲９０度間隔で設定された仮想経線に沿って配置し、各切刃２として、前記進み刃２ｐと前記遅れ刃２ｎを、交互に配置したものである。
この例の前記進み刃２ｐの刃先は、各切刃２の配置位相における仮想経線からの平行移動により、０．１ｍｍから２．５ｍｍの進みが与えられる一方、前記遅れ刃は、同寸法の遅れが与えられ、各刃先は、当該刃先の到達時について進みと遅れが交互に与えられるという規則的な構成を有している（図３、図４及び図６（Ａ）参照）。
【００２６】
この例の前記工具本体Ａは、上記構成により、前記遅れ刃２ｎの刃先からその遅れ刃２ｎの配置位相における平行移動の基線（基準）である仮想経線に至る領域に、当該遅れ刃２ｎのネガティブなすくい面３を含むすくい部６が形成され、当該遅れ刃２ｎと前記軸線について点対称の位置関係となる遅れ刃２ｎの刃先の前方についても、同様のすくい部６が形成される。
【００２７】
また、この例では、前記工具本体Ａの前記すくい部６同士を当該工具本体Ａの先端部で連結することによって、すくい部６同士又はすくい部６の延長部分同士が交錯する領域（この実施例では１８０度異なる位相で交錯する領域）の底刃が除去され、前記すくい部６が並んだ幅と等略しい幅の路溝７が、当該遅れ刃２ｎの刃高と同じ深さで形成される（図１、図２及び図４（Ｃ）参照）。
前記路溝７は、前記遅れ刃２ｎの回転方向に位置するポケット９を連結する。
【００２８】
一方、前記進み刃２ｐの配置位相における仮想経線から、当該進み刃２ｐの刃先に至る領域に当該進み刃２ｐの逃げ面４又は送り面５を含む送り部８が形成され、当該進み刃２ｐと前記軸線について点対称の位置関係となる進み刃２ｐの刃先の後方についても、同様の送り部８が形成される（図６（Ａ）参照）。
【００２９】
また、この例では、前記工具本体Ａの各進み刃２ｐは、各送り部８と共に前記路溝７で分断され、各進み刃２ｐ，２ｐの刃先が存在する各々の仮想経線（この実施例では１８０度隔てた仮想経線）に対して互い違いな進み位置に刃先を置く互い違いの斜面（逃げ面４及び送り面５）が各々の仮想経線に沿って形成される（図４（Ｂ）参照）。
【００３０】
上記の如く様々な溝が前記工具本体Ａの先端部で交錯する結果、当該工具本体Ａの先端は、前記底刃が欠落して陥没した先端逃げ部Ｃとなる（図４参照）。
尚、前記工具本体Ａの先端部における前記溝が形成される領域に、それらを連絡する所望の大きさの陥没部を別途設けることで先端逃げ部Ｃを設けることもできる。
【実施例２】
【００３１】
この例の前記切刃２の刃先は、前記ボディー１の表面を、前記軸線の周囲６０度間隔又は４５度間隔で設定された仮想経線に沿って配置し、各切刃２として、前記進み刃２ｐと前記遅れ刃２ｎを規則的に配置したものである。
この例における前記進み刃２ｐ及び前記遅れ刃２ｎは、前記実施例１と同様の進みと遅れが与えられ、各刃先は、当該刃先の到達時について進みと遅れが規則的に与えられる構成を有している。
【００３２】
この例は、各切刃２がそれぞれ直線的な刃先を持ち、進み刃部と遅れ刃部を交互に備える。
例えば、前記ボディー１の表面に、進み刃２ｐと遅れ刃２ｎを、一枚又は二枚ずつ交互に配置した構成（例えば図６（Ｂ）（Ｅ）参照）、進み刃２ｐ、遅れ刃２ｎ、遅れ刃２ｎ、進み刃２ｐ、遅れ刃２ｎ、遅れ刃２ｎの順番となる配置（図６（Ｃ）参照）、又は進み刃２ｐ、進み刃２ｐ、遅れ刃２ｎ、進み刃２ｐ、進み刃２ｐ、遅れ刃２ｎの順番となる配置で規則的に備える構成を持つ（図６（Ｄ）参照）。
【００３３】
この例の前記工具本体Ａは、上記構成により、前記実施例１と同様に、前記遅れ刃２ｎの刃先からその遅れ刃２ｎの配置位相における平行移動の基線である仮想経線に至る領域に、当該遅れ刃２ｎのすくい面３を含むすくい部が形成される一方、前記進み刃２ｐの配置位相における平行移動の基線である仮想経線から、当該進み刃２ｐの刃先に至る領域に当該進み刃２ｐの逃げ面４又は送り面５を含む逃げ角を伴った送り部８が形成される。
【００３４】
この例では、前記遅れ刃２ｎの前方に前記すくい部６を設け、前記進み刃２ｐ上に送り部８を設けることによって、それら又はそれらの延長領域が、前記工具本体Ａの先端部において様々な組み合わせで交錯し、比較的複雑な溝が形成され、当該工具本体Ａの先端に、前記底刃が欠落して陥没した先端逃げ部Ｃを構成する（図６参照）。
尚、前記工具本体Ａの先端部における前記溝や交錯領域が形成される領域に、それらを連絡する所望の大きさの陥没部を別途設けることで、前記路溝７や先端逃げ部Ｃを設けることもできる（図６（Ｃ）（Ｄ）（Ｅ）参照）。
【００３５】
本発明による切削工具は、上記例のごとく進み刃２ｐと遅れ刃２ｎが規則的に配置される結果、底刃から前刃において、削り屑を向心（軸線）方向へ送るように切る前記遅れ刃２ｎと、削り屑を遠心方向へ送るように切る前記進み刃２ｐが交互に又はその他の規則に副って切削加工に寄与することとなり、刃先の進み構造又は遅れ構造を有しない切削工具に比して数倍以上の加工効率を得ながらも、高い精度の切削加工を行うことが長期にわたって可能となった（図７乃至図１０参照）。
【符号の説明】
【００３６】
Ａ  工具本体，Ｂ  シャンク部，Ｃ  先端逃げ部，
１  ボディー，２  切刃，２ｐ  進み刃，２ｎ  遅れ刃，
３  すくい面，４  逃げ面，５  送り面，
６  すくい部，７  路溝，８  送り部，９  ポケット  
【図１】
2018130783.tif 000003
【図２】
2018130783.tif 000004
【図３】
2018130783.tif 000005
【図４】
2018130783.tif 000006
【図５】
2018130783.tif 000007
【図６】
2018130783.tif 000008
【図７】
2018130783.tif 000009
【図８】
2018130783.tif 000010
【図９】
2018130783.tif 000011
【図１０】
2018130783.tif 000012